(57)【要約】【課題】紙幣を処理する紙幣処理装置において同一の紙幣の複数のデータを効率的に取得する。【解決手段】まず、（ａ）紙幣処理装置が、紙幣処理装置の入金口から投入された紙幣の所定の側の面を所定の向きで走査することによって、紙幣の向きに関する第１の状態における第１の識別データを取得する。そして、工程（ａ）の後に、（ｂ）紙幣処理装置が、紙幣を、紙幣に対する第１の方向を軸として１８０度回転させる。工程（ｂ）の後に、（ｃ）紙幣処理装置が、回転された紙幣の所定の側の面を所定の向きで走査することによって、紙幣の向きに関する第２の状態における第２の識別データを取得する。工程（ｃ）の後に、（ｄ）紙幣処理装置が、紙幣を紙幣処理装置の出金口に搬送する。【選択図】図４
2008033382.tif 000002
【特許請求の範囲】
【請求項１】
紙幣から識別データを取得することができる紙幣処理装置であって、
紙幣の投入を受ける入金口と、
前記紙幣を排出する出金口と、
前記入金口から投入された紙幣の所定の側の面を所定の向きで走査して識別データを取得するデータ取得部と、
前記紙幣を、前記紙幣に対する第１の方向を軸として１８０度回転させる反転部と、
前記データ取得部を通過した前記紙幣を、前記反転部を経由して再び前記データ取得部に搬送でき、かつ、前記データ取得部を通過した前記紙幣を前記出金口に搬送できる第１の搬送部と、
前記紙幣処理装置の各部を制御する制御部と、を備え、
前記制御部は、
第１の動作モードにおいて、前記紙幣の向きに関する第１の状態における第１の識別データを前記データ取得部に取得させる第１の識別データ取得部と、
前記第１の識別データを取得された紙幣を、第１の搬送部に、前記反転部を経由して前記データ取得部へ搬送させる第１の循環部と、
前記第１の状態から１８０度回転された第２の状態における第２の識別データを前記データ取得部に取得させる第２の識別データ取得部と、
前記第１と第２の識別データが取得された後に、前記第１の搬送部に、前記紙幣を前記出金口へ搬送させる第１の返還部と、を備える、紙幣処理装置。
【請求項２】
請求項１記載の紙幣処理装置であって、さらに、
オペレータに作業を指示する出力部を備え、
前記制御部は、さらに、
前記第１の動作モードにおいて、前記出金口に搬送された前記紙幣を、前記紙幣に対する第２の方向であって前記第１の方向と垂直な第２の方向を軸として１８０度回転させ、前記入金口に再投入する作業を行うべき旨の指示を、前記出力部を通じて前記オペレータに行う第１の指示部を備える、紙幣処理装置。
【請求項３】
請求項２記載の紙幣処理装置であって、
前記制御部は、さらに、
前記第１の動作モードにおいて、前記入金口に前記再投入された前記紙幣の向きに関する第３の状態における第３の識別データを前記データ取得部に取得させる第３の識別データ取得部と、
前記第３の識別データを取得された紙幣を、所定の場合に、第１の搬送部に、前記反転部を経由して前記データ取得部へ搬送させる第２の循環部と、
前記第３の状態から１８０度回転された第４の状態における第４の識別データを前記データ取得部に取得させる第４の識別データ取得部と、
前記第３と第４の識別データが取得された場合に、前記第１ないし第４の識別データの取得が完了した旨の報告を、前記出力部を通じて前記オペレータに行う報告部と、を備える、紙幣処理装置。
【請求項４】
請求項３記載の紙幣処理装置であって、
前記制御部は、さらに、
前記第３の識別データが前記第１または第２の識別データと一致する場合に、前記出金口を介して前記紙幣をオペレータに返却する中途返却部と、
前記第３の識別データが前記第１または第２の識別データと一致する場合に、前記出金口に搬送された前記紙幣を、前記第２の方向を軸として１８０度回転させ、前記入金口に投入する作業を行うべき旨の指示を、前記出力部を通じて前記オペレータに行う第２の指示部と、を備える、紙幣処理装置。
【請求項５】
請求項２記載の紙幣処理装置であって、
前記紙幣は長方形であり、
前記第１の方向は、前記紙幣の長辺または短辺に平行な方向であり、
前記第２の方向は、前記紙幣の前記長方形の面に対して垂直な方向である、紙幣処理装置。
【請求項６】
請求項２記載の紙幣処理装置であって、さらに、
前記紙幣を収納することができる第１および第２の収納部と、
前記識別データが取得された前記紙幣を前記第１および第２の収納部に搬送できる第２の搬送部と、を備え、
前記制御部は、さらに、
第２の動作モードにおいて、前記入金口から投入された紙幣が、
真正の紙幣ではなく前記真正の紙幣を装った券でもない第１種の券と、
前記真正の紙幣を装った偽の紙幣である第２種の券と、
前記偽の紙幣である可能性があるが前記可能性は前記第２種の券より低い第３種の券と、
前記真正の紙幣である第４種の券と、
を含む複数種類の券のうちのいずれであるかを前記識別データに基づいて識別し、前記第２の搬送部に、前記第３種の券を前記第１の収納部に搬送させ、前記第４種の券を前記第２の収納部に搬送させる分別部を備える、紙幣処理装置。
【請求項７】
請求項６記載の紙幣処理装置であって、
前記制御部は、さらに、
前記第２の動作モードの後の前記第１の動作モードにおいて、前記第１の収納部に前記第３種の券が収納されている場合に、前記第１の収納部内の前記第３種の券を前記入金口に投入する作業を行うべき指示を、前記出力部を通じて前記オペレータに行う第２の指示部を備える、紙幣処理装置。
【請求項８】
紙幣処理装置を用いて紙幣から識別データを取得する方法であって、
（ａ）紙幣処理装置が、前記紙幣処理装置の入金口から投入された紙幣の所定の側の面を所定の向きで走査することによって、前記紙幣の向きに関する第１の状態における第１の識別データを取得する工程と、
（ｂ）前記紙幣処理装置が、前記工程（ａ）の後に、前記紙幣を、前記紙幣に対する第１の方向を軸として１８０度回転させる工程と、
（ｃ）前記紙幣処理装置が、前記工程（ｂ）の後に、前記回転された前記紙幣の前記所定の側の面を前記所定の向きで走査することによって、前記紙幣の向きに関する第２の状態における第２の識別データを取得する工程と、
（ｄ）前記紙幣処理装置が、前記工程（ｃ）の後に、前記紙幣を前記紙幣処理装置の出金口に搬送する工程と、を備える方法。
【請求項９】
請求項８記載の方法であって、さらに、
（ｅ）前記紙幣処理装置が、前記工程（ｄ）の後に、前記出金口に搬送された前記紙幣を、前記紙幣に対する第２の方向であって前記第１の方向と垂直な第２の方向を軸として１８０度回転させ、前記入金口に再投入する作業を行うべき旨の指示を、オペレータに行う工程と、
（ｆ）前記オペレータが、前記工程（ｅ）の後に、前記出金口に搬送された前記紙幣を、前記第２の方向を軸として１８０度回転させ、前記入金口に再投入する工程と、
（ｇ）前記紙幣処理装置が、前記工程（ｆ）の後に、前記入金口に前記再投入された前記紙幣の前記所定の側の面を前記所定の向きで走査することによって、前記紙幣の向きに関する第３の状態における第３の識別データを取得する工程と、
（ｈ）前記紙幣処理装置が、前記工程（ｇ）の後に、前記紙幣を、前記第１の方向を軸として１８０度回転させる工程と、
（ｉ）前記紙幣処理装置が、前記工程（ｈ）の後に、前記回転された前記紙幣の前記所定の側の面を前記所定の向きで走査することによって、前記紙幣の向きに関する第４の状態における第４の識別データを取得する工程と、を備える方法。
【請求項１０】
請求項９記載の方法であって、さらに、
（ｊ）前記紙幣処理装置が、前記工程（ｉ）の後に、前記第１ないし第４の識別データの取得が完了した旨の報告を前記オペレータに行う工程と、を備える、方法。
【発明の詳細な説明】
【技術分野】
【０００１】
本発明は、紙幣を処理する紙幣処理装置において紙幣のデータを取得する技術に関する。
【背景技術】
【０００２】
欧州においては、現金自動取引装置（以下「ＡＴＭ」ともいう）において、偽の紙幣の可能性がある紙幣が検出された場合には、その紙幣のデータをヨーロッパ中央銀行のサーバに送信しなければならない。具体的には、ヨーロッパ中央銀行の理事会規則、1338/2001の第６条（The Council Regulation (EC) no 1338/2001 of the European Central Bank ECB require, Article 6）が、上記のルールを定めている。
【０００３】
ヨーロッパ中央銀行のサーバに送信するデータは、被疑紙幣の両面について、被疑紙幣の短辺方向に沿って上から下に向かう向きと、下から上に向かう向きとでそれぞれ走査して取得する合計４個のデータである。また、それら４個のデータは、その被疑紙幣について「偽の紙幣の可能性がある」と判断したＡＴＭにおいて、その判断の根拠になった識別データを取得したセンサそのものを使用して、生成されなければならない。なお、これらのデータは上述の４種類について生成されればよく、データの順番は定められてはいない。
【０００４】
上記のルールを遵守するため、従来は、次のような処理が行われていた。すなわち、ＡＴＭが被疑紙幣を検出した場合には、ＡＴＭは、取引は真正の紙幣の場合と同様に行い、その被疑紙幣を他の紙幣とは区別して格納する。そして、ＡＴＭの運用を終了した後、オペレータがその被疑紙幣を収納庫から取り出して、ＡＴＭの取引用の入金口から紙幣を投入し、通常の取引の場合と同様にＡＴＭに被疑紙幣のデータを取得させ、ＡＴＭの出金口から被疑紙幣を排出させる。オペレータは、ＡＴＭへの紙幣投入の合間に紙幣の向きを変えつつ、ＡＴＭに識別データを取得させる処理を合計４回繰り返す。そのようにして、そのＡＴＭが通常の現金の出し入れの際に使用しているセンサを使用して、上述の４種類のデータを取得する。
【０００５】
なお、オペレータによる合計４回の投入は、それぞれ（１）被疑紙幣の第１の面を上（または奥）にして短辺方向の上から下に向かう向きに行う投入、（２）被疑紙幣の第１の面を上（または奥）にして短辺方向の下から上に向かう向きに行う投入、（３）被疑紙幣の第１の面とは逆の第２の面を上（または奥）にして短辺方向の上から下に向かう向きに行う投入、（４）被疑紙幣の第２の面を上（または奥）にして短辺方向の下から上に向かう向きに行う投入、である。なお、ここでは、上下は紙幣の印刷の向きにしたがうものとする。
【０００６】
しかし、上記の処理においては、オペレータは、同一の被疑紙幣を、状態を変えて４回ＡＴＭに投入する必要がある。このため、すでにデータを取得した状態について、重複してデータを生成してしまうことがあった。このような問題は、欧州において設置されるＡＴＭに限らず、紙幣を処理する装置において同一の紙幣について複数の向きおよび面の組合せでデータを収集する際に、同様に問題となる。
【０００７】
【特許文献１】特開２００２−３３８０９３号公報
【発明の開示】
【発明が解決しようとする課題】
【０００８】
本発明は、上記の問題の少なくとも一部を取り扱うためのものであり、紙幣を処理する紙幣処理装置において同一の紙幣の複数のデータを効率的に取得することを目的とする。
【課題を解決するための手段】
【０００９】
上記の目的の少なくとも一部を取り扱うために、本発明は、紙幣から識別データを取得することができる紙幣処理装置において以下のような構成を採用する。すなわち、この紙幣処理装置は、紙幣の投入を受ける入金口と、紙幣を排出する出金口と、データ取得部と、反転部と、第１の搬送部と、紙幣処理装置の各部を制御する制御部と、を備える。データ取得部は、入金口から投入された紙幣の所定の側の面を所定の向きで走査して識別データを取得する。反転部は、紙幣を、紙幣に対する第１の方向を軸として１８０度回転させる。第１の搬送部は、データ取得部を通過した紙幣を、反転部を経由して再びデータ取得部に搬送でき、かつ、データ取得部を通過した紙幣を出金口に搬送できる。
【００１０】
この紙幣処理装置の制御部は、機能部として、第１の識別データ取得部と、第１の循環部と、第２の識別データ取得部と、第１の返還部と、を備える。第１の識別データ取得部は、第１の動作モードにおいて、紙幣の向きに関する第１の状態における第１の識別データをデータ取得部に取得させる。第１の循環部は、第１の識別データを取得された紙幣を、第１の搬送部に、反転部を経由してデータ取得部へ搬送させる。第２の識別データ取得部は、第１の状態から１８０度回転された第２の状態における第２の識別データをデータ取得部に取得させる。第１の返還部は、第１と第２の識別データが取得された後に、第１の搬送部に、紙幣を出金口へ搬送させる。
【００１１】
このような態様とすれば、人の手を介さずに、紙幣を反転させて紙幣の両面の識別データを取得することができる。よって、同一の紙幣の複数のデータをミスなく効率的に取得することができる。なお、識別データ取得の際の「所定の側の面」とは、紙幣処理装置を基準として「所定の側」にある面という意味である。また、走査の「所定の向き」とは、紙幣処理装置を基準として定められた向きである。
【００１２】
なお、本明細書において「紙幣」とは、国家または国家の中央銀行が発行したものには限られない。すなわち、本明細書において「紙幣」とは、国や団体などの組織が発行し所定の価値を保証するシート状の媒体である。
【００１３】
なお、紙幣処理装置は、さらに、オペレータに作業を指示する出力部を備えることが好ましい。そして、そのような態様において、制御部は、さらに、第１の指示部を備えることが好ましい。この第１の指示部は、第１の動作モードにおいて、出金口に搬送された紙幣を、紙幣に対する第２の方向であって第１の方向と垂直な第２の方向を軸として１８０度回転させ、入金口に再投入する作業を行うべき旨の指示を、出力部を通じてオペレータに行う。
【００１４】
このような態様とすれば、紙幣処理装置が行う処理と、オペレータが行う処理との組合せによって、１枚の紙幣から互いに異なる状態についての複数種類の識別データを効率的に取得することができる。
【００１５】
なお、制御部は、さらに、第３の識別データ取得部と、第２の循環部と、第４の識別データ取得部と、報告部と、を備えることが好ましい。第３の識別データ取得部は、第１の動作モードにおいて、入金口に再投入された紙幣の向きに関する第３の状態における第３の識別データをデータ取得部に取得させる。第２の循環部は、第３の識別データを取得された紙幣を、所定の場合に、第１の搬送部に、反転部を経由してデータ取得部へ搬送させる。第４の識別データ取得部は、第３の状態から１８０度回転された第４の状態における第４の識別データをデータ取得部に取得させる。報告部は、第３と第４の識別データが取得された場合に、第１ないし第４の識別データの取得が完了した旨の報告を、出力部を通じてオペレータに行う。
【００１６】
このような態様とすれば、紙幣処理装置が行う処理と、オペレータが行う処理との組合せによって、１枚の紙幣から互いに異なる状態についての４種類の識別データを効率的に取得することができる。なお、制御部は、第３と第４の識別データが取得された後に、第１の搬送部を制御して、紙幣を出金口に搬送させ、オペレータに返却する第１の返却部を備える態様とすることもできる。
【００１７】
なお、反転部は、識別データが取得された紙幣を、紙幣の第１の面と第２の面との位置関係が、前回、紙幣がデータ取得部を通過したときとは逆となる状態とする態様とすることができる。また、反転部は、識別データが取得された紙幣を、紙幣を紙面内で１８０度回転する態様とすることができる。
【００１８】
また、出力部による指示は、識別データが取得された紙幣を、紙幣の第１の面と第２の面との位置関係が、前回、紙幣が入金口に投入されたときとは逆となる状態として、入金口に投入すべき旨の指示とすることができる。また、出力部による指示は、識別データが取得された紙幣を、入金口に投入されたときの向きから紙面内で１８０度回転させた状態として、入金口に投入すべき旨の指示とすることもできる。
【００１９】
なお、制御部は、さらに、中途返却部と、第２の指示部と、を備えることが好ましい。中途返却部は、第３の識別データが第１または第２の識別データと一致する場合に、出金口を介して紙幣をオペレータに返却する。第２の指示部は、第３の識別データが第１または第２の識別データと一致する場合に、出金口に搬送された紙幣を、第２の方向を軸として１８０度回転させ、入金口に投入する作業を行うべき旨の指示を、出力部を通じてオペレータに行う。
【００２０】
このような態様とすれば、オペレータが作業ミスを犯した場合にも、その後、オペレータに正しく作業を行わせることができる。なお、上述の第２の循環部は、所定の場合として、第３の識別データが第１または第２の識別データと一致しない場合に、第１の搬送部に、反転部を経由してデータ取得部へ搬送させる態様とすることができる。
【００２１】
なお、紙幣は長方形である場合には、以下のような態様とすることが好ましい。すなわち、反転部の処理における第１の方向は、紙幣の長辺または短辺に平行な方向である。また、出力部の指示における第２の方向は、紙幣の長方形の面に対して垂直な方向である。このような態様とすれば、紙幣処理装置は、同一紙幣の４種類の識別データを取得するために第２の方向を軸とした回転手段を備える必要がない。よって、紙幣処理装置を小さく構成することができる。
【００２２】
また、紙幣処理装置は、紙幣を収納することができる第１および第２の収納部と、識別データが取得された紙幣を第１および第２の収納部に搬送できる第２の搬送部と、を備える態様とすることができる。そのような態様においては、制御部は、さらに、以下のような処理を行うことができる分別部を備えることが好ましい。
【００２３】
分別部は、第２の動作モードにおいて、入金口から投入された紙幣が、（１）真正の紙幣ではなく真正の紙幣を装った券でもない第１種の券と、（２）真正の紙幣を装った偽の紙幣である第２種の券と、（３）偽の紙幣である可能性があるがその可能性は第２種の券より低い第３種の券と、（４）真正の紙幣である第４種の券と、を含む複数種類の券のうちのいずれであるかを識別データに基づいて識別する。そして、分別部は、第２の搬送部に、第３種の券を第１の収納部に搬送させ、第４種の券を第２の収納部に搬送させる。
【００２４】
このような態様とすれば、偽券である可能性がある紙幣と、真券である紙幣とを区別して保管することができる。
【００２５】
なお、制御部は、さらに、第２の指示部を備えることが好ましい。この第２の指示部は、第２の動作モードの後の第１の動作モードにおいて、第１の収納部に第３種の券が収納されている場合に、第１の収納部内の第３種の券を入金口に投入する作業を行うべき指示を、出力部を通じてオペレータに行う。このような態様とすれば、識別データを取得する作業を効率的に行うことができる。
【００２６】
なお、本発明は、以下のような態様で実現することもできる。すなわち、紙幣処理装置を用いて紙幣から識別データを取得する際に、以下のような処理を行う。
【００２７】
まず、（ａ）紙幣処理装置が、紙幣処理装置の入金口から投入された紙幣の所定の側の面を所定の向きで走査することによって、紙幣の向きに関する第１の状態における第１の識別データを取得する。そして、工程（ａ）の後に、（ｂ）紙幣処理装置が、紙幣を、紙幣に対する第１の方向を軸として１８０度回転させる。工程（ｂ）の後に、（ｃ）紙幣処理装置が、回転された紙幣の所定の側の面を所定の向きで走査することによって、紙幣の向きに関する第２の状態における第２の識別データを取得する。工程（ｃ）の後に、（ｄ）紙幣処理装置が、紙幣を紙幣処理装置の出金口に搬送する。
【００２８】
このような態様としても、同一の紙幣の複数のデータを効率的に取得することができる。
【００２９】
なお、紙幣処理装置を用いて紙幣から識別データを取得する際に、さらに以下のような処理を行うことが好ましい。すなわち、工程（ｄ）の後に、（ｅ）紙幣処理装置が、出金口に搬送された紙幣を、紙幣に対する第２の方向であって第１の方向と垂直な第２の方向を軸として１８０度回転させ、入金口に再投入する作業を行うべき旨の指示を、オペレータに行う。そして、工程（ｅ）の後に、（ｆ）オペレータが、出金口に搬送された紙幣を、第２の方向を軸として１８０度回転させ、入金口に再投入する。工程（ｆ）の後に、（ｇ）紙幣処理装置が、入金口に再投入された紙幣の所定の側の面を所定の向きで走査することによって、紙幣の向きに関する第３の状態における第３の識別データを取得する。工程（ｇ）の後に、（ｈ）紙幣処理装置が、紙幣を、第１の方向を軸として１８０度回転させる。工程（ｈ）の後に、（ｉ）紙幣処理装置が、回転された紙幣の所定の側の面を所定の向きで走査することによって、紙幣の向きに関する第４の状態における第４の識別データを取得する。
【００３０】
このような態様とすれば、紙幣処理装置が行う処理と、オペレータが行う処理とによって、１枚の紙幣から互いに異なる状態についての４種類の識別データを効率的に取得することができる。
【００３１】
なお、工程（ｉ）の後に、（ｊ）紙幣処理装置が、第１ないし第４の識別データの取得が完了した旨の報告をオペレータに行うことも好ましい。このような態様とすれば、オペレータが、間違って不要な処理を繰り返す可能性を低減することができる。
【００３２】
なお、本発明は、種々の形態で実現することが可能であり、例えば、紙幣処理方法および紙幣処理装置、紙幣処理装置の制御方法および紙幣処理装置の制御装置、それらの方法または装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００３３】
Ａ．装置の構成：
図１は、この発明の実施形態である紙幣処理装置１の機械的構成を示す断面図である。この紙幣処理装置１は、相互に分離可能な上部ユニット２および下部ユニット３と、表示・操作部９とを有する。
【００３４】
上部ユニット２は、第１の偽造紙幣収納部１０と、データ読み取り部１１と、入出口１２と、一時保留部１３と、を備えている。
【００３５】
入出口１２は、それを通じて利用者が紙幣処理装置１に紙幣を投入し、紙幣処理装置１が利用者に対して紙幣を排出する開口である。この入出口１２は扉を有している。その扉は、利用者から紙幣の投入を受けるとき、および利用者に紙幣を提供するときに開き、他の時には閉じている。なお、紙幣は、紙幣処理装置１と向かい合うユーザから見て、長辺が左右方向に平行であり短辺が前後方向に平行である向きに、利用者によって入出口１２に投入される。紙幣処理装置１内から紙幣が入出口１２に排出されるときも同様である。
【００３６】
データ読み取り部１１は、紙幣処理装置１に投入された紙幣から識別データを収集するユニットである。一時保留部１３は、識別データに基づいて真券であると判定された紙幣を、ユーザが投入した全紙幣についての判定を行っている間、一時的に保留するための収容部である。第１の偽造紙幣収納部１０は、偽券であると断定はできないが偽券である可能性がある、と識別データに基づいて判定された紙幣（以下「被疑券」という）を収納する収容部である。
【００３７】
下部ユニット３は、第２の偽造紙幣収納部１４と、回収カートリッジ２１と、循環紙幣カートリッジ２２ａ〜２２ｄと、を備えている。第２の偽造紙幣収納部１４は、識別データに基づいて偽券であると判定された紙幣を収納する収納部である。回収カートリッジ２１は、利用者が入出口１２から取り忘れた紙幣や汚れた紙幣等を回収する収納部である。回収カートリッジ２１に収納されている紙幣は、ユーザが現金の引き出し処理を行った場合にもその支払いには使用されない。
【００３８】
循環紙幣カートリッジ２２ａ〜２２ｄは、それぞれ異なる種類（額面）の真券を収納する収納部である。たとえば、循環紙幣カートリッジ２２ａは千円紙幣を収納する。循環紙幣カートリッジ２２ｂは５千円紙幣を収納する。循環紙幣カートリッジ２２ｃ、２２ｄは１万円紙幣を収納する。これら循環紙幣カートリッジ２２ａ〜２２ｄに収納されている紙幣は、ユーザが現金の引き出し処理を行った場合に、ユーザに渡す紙幣として使用される。なお、循環紙幣カートリッジ２２ａ〜２２ｄをまとめて記述するときには、循環紙幣カートリッジ２２と記載する。
【００３９】
紙幣処理装置１内には図１中において矢印で示す方向に紙幣を搬送する紙幣搬送路が形成されている。紙幣搬送路は、紙幣が通過できる単なる空間ではなく、紙幣を下流に送るためのローラやベルトなどの様々な搬送手段を有している。本明細書では、これらの搬送手段を含めて「紙幣搬送路」と呼ぶ。
【００４０】
紙幣搬送路は、上部ユニット２内部と下部ユニット３内部にそれぞれ設けられている。上部ユニット２内の紙幣搬送路と、下部ユニット３内の紙幣搬送路とは、図１中のＡ点およびＢ点で接続されている。Ａ点において、紙幣は上部ユニット２から下部ユニット３へ渡される。また、Ｂ点において、紙幣は下部ユニット３から上部ユニット２へ渡される。
【００４１】
紙幣搬送路は複数の分岐点を有する。各分岐点には紙幣の搬送先を切り替えるフラッパが設けられている。上部ユニット２内には、フラッパ１５ａ〜１５ｄが設けられている。下部ユニット３内には、フラッパ２３ａ〜２３ｅが設けられている。
【００４２】
上部ユニット２内のフラッパ１５ａは、図１の左から搬送されてきた紙幣の搬送先を、データ読み取り部１１に向かう紙幣搬送路と、入出口１２に向かう紙幣搬送路とのいずれかに切り替える。フラッパ１５ｂは、データ読み取り部１１から搬送されてきた紙幣の搬送先を、下部ユニット３に向かう紙幣搬送路と、一時保留部１３に向かう紙幣搬送路とのいずれかに切り替える。フラッパ１５ｃは、フラッパ１５ｂを経て搬送されてきた紙幣の搬送先を、一時保留部１３に向かう紙幣搬送路と、入出口１２に向かう紙幣搬送路とのいずれかに切り替える。フラッパ１５ｄは、フラッパ１５ｂを経て搬送されてきた紙幣の搬送先を、第１の偽造紙幣収納部１０に向かう紙幣搬送路と、下部ユニット３に向かう紙幣搬送路と、とのいずれかに切り替える。
【００４３】
下部ユニット３内のＢ点の下流に設けられているフラッパ２３ａの２対のフラッパである。フラッパ２３ａは上部ユニット２から搬送されてきた紙幣の搬送先を、第２の偽造紙幣収納部１４に向かう紙幣搬送路と、回収カートリッジ２１に向かう紙幣搬送路と、循環紙幣カートリッジ２２（２２ａ〜２２ｄ）に向かう紙幣搬送路と、のいずれかに切り替える。
【００４４】
フラッパ２３ｂは、フラッパ２３ａを経て搬送されてきた紙幣を、循環紙幣カートリッジ２２ａに向かう紙幣搬送路と、循環紙幣カートリッジ２２ｂ〜２２ｄおよび上部ユニット２に向かう紙幣搬送路と、のいずれかに切り替える。フラッパ２３ｃは、フラッパ２３ｂを経て搬送されてきた紙幣を、循環紙幣カートリッジ２２ｂに向かう紙幣搬送路と、循環紙幣カートリッジ２２ｃ，２２ｄおよび上部ユニット２に向かう紙幣搬送路と、のいずれかに切り替える。フラッパ２３ｄ，２３ｅもフラッパ２３ｂ，２３ｃとほぼ同様の構成および機能を有する。下部ユニット３には、循環紙幣カートリッジ２２ａ〜２２ｄから搬出された紙幣をＢ点を経て上部ユニット２へ搬送するための紙幣搬送路も形成されている。
【００４５】
なお、本明細書において、データ読み取り部１１の下流からフラッパ１５ｂ，１５ｃ，１５ａを経て入出口１２に紙幣を搬送し、また、入出口１２からさらにデータ読み取り部１１に紙幣を搬送する紙幣搬送路を第１の紙幣搬送路Ｐｂ１と呼ぶことがある。また、データ読み取り部１１の下流からフラッパ１５ｂ，１５ｄを経て第１の偽造紙幣収納部１０に紙幣を搬送し、またはデータ読み取り部１１の下流からフラッパ１５ｂ，１５ｄ，２３ａを経て循環紙幣カートリッジ２２ａ〜２２ｄに紙幣を搬送する紙幣搬送路を第２の紙幣搬送路Ｐｂ２と呼ぶことがある。
【００４６】
図１の右上に示す表示・操作部９は、ユーザおよびオペレータに対して各種の表示を行い、ユーザおよびオペレータからの入力を受け付けるタッチパネルである。表示・操作部９は、上部ユニット２の入出口１２の上部に設けられている。たとえば、表示・操作部９は、ユーザモードにおいて、ユーザ向けに各種の取引を選択させる画面を表示する。また、表示・操作部９は、オペレータモードにおいて、第１の偽造紙幣収納部１０および第２の偽造紙幣収納部１４に紙幣が収納されている旨の表示を行う。ヨーロッパ中央銀行のサーバに送信するための被疑券の識別データを取得する処理は、オペレータがこの表示・操作部９を介して指示を入力することによって開始される。
【００４７】
なお、「ユーザモード」とは、銀行などの顧客（ユーザ）が、ＡＴＭを使用して取引を行うことができる動作モードである。「オペレータモード」とは、銀行の職員（オペレータ）が、ＡＴＭのメンテナンスやＡＴＭを使用した作業を行うためのモードである。ユーザモードとオペレータモードの切り替えは、紙幣処理装置１の背面にあるスイッチ（図示せず）を操作して行う。
【００４８】
図２は、紙幣処理装置１の電気的構成を示したブロック図である。紙幣処理装置１は、ＣＰＵ４と、ＲＯＭ５と、ＲＡＭ６と、第１の紙幣センサ７と、第２の紙幣センサ８と、を備えている。ＣＰＵ４は、紙幣処理装置１の各部を制御する。ＲＯＭ５は、ＣＰＵ４を動作させるプログラムや各種のパラメータ等を記録している。ＲＡＭ６は、ＣＰＵ４が各部を制御する制御データを読み書き可能に記録する。第１の紙幣センサ７は、入出口１２内の紙幣の有無を検知するためのフォトセンサである。第２の紙幣センサ８は、第１の偽造紙幣収納部１０内の被疑券の有無を検知するためのフォトセンサである。
【００４９】
また、ＣＰＵ４には、表示・操作部９と、データ読み取り部１１と、各種のモータ１６と、循環紙幣カートリッジ２２と、が接続されている。表示・操作部９およびデータ読み取り部１１については、すでに説明したとおりである。ＣＰＵ４は、データ読み取り部１１が取得した識別データに基づいて、紙幣の真偽を判定し、さらに紙幣の種類を識別する。
【００５０】
モータ１６は、紙幣搬送路が有するローラやベルトなどの様々な搬送手段を駆動するモータである。循環紙幣カートリッジ２２ａ〜２２ｄは、それぞれ格納すべき紙幣の種類のデータを記憶したＲＡＭを有している。ＣＰＵ４は、各循環紙幣カートリッジ２２ａ〜２２ｄのＲＡＭ内のデータを参照して、紙幣を循環紙幣カートリッジ２２ａ〜２２ｄに振り分ける。すなわち、ＣＰＵ４は、表示・操作部９、データ読み取り部１１、循環紙幣カートリッジ２２からデータを受け取り、表示・操作部９、データ読み取り部１１、モータ１６を制御する。
【００５１】
以下で、図１を参照して、ユーザモードにおける紙幣処理装置１内における紙幣の流れを説明する。まず、ユーザが、紙幣を入出口１２に投入する。紙幣処理装置１の紙幣搬送路は、入出口１２に投入された紙幣を１枚ずつデータ読み取り部１１へ搬送する。データ読み取り部１１では、搬送されてきた紙幣ごとに識別データを取得する。そして、識別データに基づいてＣＰＵ４が真偽を判定し、真券および被疑券についてはその種類（額面）を識別する。このとき、ユーザがどの種類の紙幣を何枚投入したかがカウントされる。
【００５２】
真券であると判定された紙幣は、フラッパ１５ｂ，１５ｃを経て一時保留部１３に搬送され、一時保留部１３内に保管される。被疑券であると判定された紙幣は、フラッパ１５ｂ，１５ｄを経て第１の偽造紙幣収納部１０へに搬送され、第１の偽造紙幣収納部１０内に保管される。また、偽券であると判定された紙幣は、フラッパ１５ｂ，１５ｄ，２３ａを経て第２の偽造紙幣収納部１４へに搬送され、第２の偽造紙幣収納部１４内に保管される。
【００５３】
一方、真券、偽券または被疑券のいずれでもないと判定された媒体は、フラッパ１５ｂ，１５ｃ，１５ａを経て入出口１２へ戻される。真券、偽券または被疑券のいずれでもないと判定される媒体とは、たとえば、紙幣の間に挟まって投入されたレシートや割引券などである。
【００５４】
ユーザが入金した紙幣がすべて一時保留部１３、第１の偽造紙幣収納部１０、第２の偽造紙幣収納部１４、または入出口１２へ送られると、次に、一時保留部１３内の真券が、その種類に応じて循環紙幣カートリッジ２２ａ〜２２ｄに送られる。具体的には、まず、一時保留部１３内の紙幣は、１枚づつ順に、フラッパ１５ｃ，１５ａを経て、再度、データ読み取り部１１に送られる。そして、データ読み取り部１１では、搬送されてきた紙幣ごとに真偽を判定し、種類（額面）を識別する。
【００５５】
再度の判定において、データ読み取り部１１によって真券ではないと判定された紙幣は、フラッパ１５ｂ，１５ｄ，２３ａを経て回収カートリッジ２１に搬送され、回収カートリッジ２１内に格納される。再度の判定において、データ読み取り部１１において種類を識別できなかった紙幣も、同様に、回収カートリッジ２１に搬送され、回収カートリッジ２１内に格納される。これらの紙幣は、ユーザへの支払いには使用されない。
【００５６】
再度の判定において、データ読み取り部１１によって真券であると判定され、種類が識別された紙幣は、その種類に応じて、フラッパ１５ｂ，１５ｄ，２３ａ〜２３ｅを経て循環紙幣カートリッジ２２ａ〜２２ｄに送られる。そして、それぞれ循環紙幣カートリッジ２２ａ〜２２ｄに格納される。これらの紙幣は、ユーザへの支払いに使用される。
【００５７】
以上で説明したようなユーザモードにおける処理を実現するＣＰＵ４の機能部を分別部４７として図１に示す。
【００５８】
なお、入出口１２に投入された紙幣が、データ読み取り部１１、フラッパ１５ｂ，１５ｃを経て一時保留部１３に保管され、さらに、一時保留部１３から搬出されてフラッパ１５ａを経て、再び入出口１２に戻されたときには、最初に入出口１２内に投入されたときに上であった面とは逆の面が上になっている。具体的には、紙幣は、その長辺に平行な方向（図１において紙面に垂直な方向）を軸にして１８０度回転される。入出口１２に投入された紙幣が、一時保留部１３を経ずに、データ読み取り部１１、フラッパ１５ｂ，１５ｃ，１５ａを経て入出口１２に戻されたときも同様である。
【００５９】
一方、入出口１２に投入された紙幣が、データ読み取り部１１、フラッパ１５ｂ，１５ｃ１５ａを経て、入出口１２を経由せずにデータ読み取り部１１に戻った場合は、データ読み取り部１１の上流の紙幣搬送路Ｐｄにおいて、最初に入出口１２内に投入されたときに上であった面が上になっている。
【００６０】
図３は、第１の偽造紙幣収納部１０内に被疑券を入出口１２に投入する作業をオペレータに指示する表示・操作部９の画面を表す図である。オペレータが、紙幣処理装置１の背面にあるスイッチを操作して、表示・操作部９の表示をオペレータモードに切り換えたとき、第１の偽造紙幣収納部１０内に被疑券が格納されている場合には、図３の表示がなされる。なお、図３にいう「偽造紙幣保留部」は、偽造紙幣収納部１０を意味している。また、「入金口」は入出口１２を意味している。第１の偽造紙幣収納部１０内に被疑券が格納されているか否かは、第２の紙幣センサ８（図２参照）で検知することができる。第１の偽造紙幣収納部１０内に被疑券が格納されている場合に図３の表示を行うＣＰＵ４の機能部を、第３の指示部４４ｃとして、図２に示す。
【００６１】
オペレータは、図３の表示を見て、画面の右下の「確認」表示にタッチして、被疑券の識別データを取得する処理を開始する。「確認」表示がタッチされると、紙幣処理装置１は、被疑券の識別データを収集するための処理を開始する。なお、以下の手続きにおいて、表示・操作部９の画面に「確認」の表示がなされているときは、紙幣処理装置１は、オペレータが「確認」の表示をタッチしてから、その後の処理を開始する。
【００６２】
図４は、被疑券の識別データを収集する際の手順を示すフローチャートである。オペレータは、まず、ステップＳ１０で、第１の偽造紙幣収納部１０内の紙幣を１枚選択して、入出口１２に投入する。ステップＳ２０では、入出口１２からデータ読み取り部１１に紙幣が搬送される。そして、データ読み取り部１１が、その紙幣が入出口１２に投入されたときに上側であった面について、その紙幣が入出口１２に投入された方向に沿って、紙幣の先から後に向かう向きに識別データを取得する。なお、被疑券投入（ステップＳ１０）後の最初のステップＳ２０の処理を実現するＣＰＵ４の機能部を、第１の識別データ取得部４１ａとして、図２に示す。
【００６３】
最初のステップＳ１０，Ｓ２０の処理の際に、データ読み取り部１１の上流の紙幣搬送路Ｐｄにおいて上側にあった紙幣の面を「第１の面」とよぶ。そして、最初のステップＳ１０，Ｓ２０の処理における、紙幣搬送路Ｐｄ内の紙幣の向きを「第１の投入方向」と呼ぶ。また、このときの、データ読み取り部１１上流の紙幣搬送路Ｐｄ内における紙幣の状態を「第１の状態」と呼ぶ。第１の状態の紙幣を図１の右上に紙幣ＢＳ１として示す。紙幣ＢＳ１に示された黒い三角は、その黒い三角が描かれた面が第１の面であることを示す。また、黒い三角が示す方向が第１の投入方向である。
【００６４】
その後、図４のステップＳ３０で、その紙幣は、いったん一時保留部１３（図１参照）に保管される。そして、ステップＳ４０で、その紙幣は入出口１２へ返却される。前述のように、このとき、紙幣は反転され、第１の面が下側となり、第１の面とは逆の第２の面が上側となる状態で、入出口１２に返却される。なお、このときには、入出口１２の扉は開かない。
【００６５】
ステップＳ４５の処理については、後に説明する。図４のフローチャートの処理開始後、最初にステップＳ４５の判定を行う際には、判定結果は自動的にＮｏとされる。そして、処理はステップＳ５０に進む。
【００６６】
ステップＳ５０では、紙幣は入出口１２から搬出される。このとき、紙幣は、データ読み取り部１１の上流の紙幣搬送路Ｐｄにおいて、第２の面を上にして第１の投入方向とは逆向きの第２の投入方向で搬送される。この状態を「第２の状態」と呼ぶ。第２の状態の紙幣を図１の右上に紙幣ＢＳ２として示す。紙幣ＢＳ２に破線で示された白い三角は、紙幣の第１の面を表す黒い三角を裏面から見た状態を表している。
【００６７】
なお、被疑券投入（ステップＳ１０）後の最初のステップＳ４０〜Ｓ５０の処理を実現するＣＰＵ４の機能部を、第１の循環部４２ａとして、図２に示す。
【００６８】
図４のステップＳ６０では、データ読み取り部１１が、第２の面について、その紙幣が入出口１２から搬出されたときの方向に沿って、紙幣の先から後に向かう向きに識別データを取得する。このステップＳ６０の処理を実現するＣＰＵ４の機能部を、第２のデータ取得部４１ｂとして、図２に示す。
【００６９】
紙幣処理装置１においては、前述のように、入出口１２に投入された紙幣が、データ読み取り部１１、フラッパ１５ｂ，１５ｃ、一時保留部１３、フラッパ１５ａを経て、再び入出口１２に戻されたときには、最初に入出口１２内に投入されたときに上であった面とは逆の面が上になっている（図１の紙幣ＢＳ１，ＢＳ２参照）。このため、データ読み取り部１１で識別データを２回取得することによって、被疑紙幣の４種類の識別データのうち２種類のデータを、オペレータの手を経ることなく取得することができる。よって、紙幣処理装置１においては、オペレータのミスによって同じ種類の識別データが取得されてしまう可能性が低い。
【００７０】
その後、図４のステップＳ７０で、紙幣は、いったん一時保留部１３（図１参照）に保管される。そして、ステップＳ８０で、その紙幣は入出口１２へ返却され、入出口１２の扉が開かれる。このとき、紙幣は、再び反転され、第１の状態となっている。このときの紙幣の状態を図１の右上に紙幣ＢＳ１ｒとして示す。なお、被疑券投入（ステップＳ１０）後の最初のステップＳ８０の処理を実現するＣＰＵ４の機能部を、第１の返還部４３ａとして、図２に示す。
【００７１】
図４のステップＳ９０では、被疑紙幣の両面について、被疑紙幣の短辺方向に沿って上から下に向かう向きと、下から上に向かう向きとでそれぞれ走査して取得した合計４個のデータが取得されたか否かについて判定する。この時点では、被疑紙幣の両面についてそれぞれ一つの向きについて識別データが取得されただけである（ステップＳ２０，Ｓ６０参照）。よって、ステップＳ９０の判定結果は、Ｎｏとなる。そして、処理はステップＳ１００に進む。
【００７２】
図５は、入出口１２内の被疑券を回転させて再投入する作業をオペレータに指示する表示・操作部９の画面を表す図である。ステップＳ１００では、図５の画面が表示・操作部９に表示される。なお、ステップＳ１００の処理を実現するＣＰＵ４の機能部を、第１の指示部４４ａとして、図２に示す。
【００７３】
図５の画面を見たオペレータは、図４のステップＳ１１０で、入出口１２内の被疑券を取り出して、紙幣の紙面に垂直な方向を軸として紙幣を１８０度回転させ、再び入出口１２に投入する。そして、紙幣処理装置１の紙幣搬送路は、入出口１２内の紙幣を搬出する。なお、入出口１２内に紙幣が投入されたか否かは第１の紙幣センサ７（図１参照）によって検知することができる。
【００７４】
なお、このとき、紙幣は、データ読み取り部１１の上流の紙幣搬送路Ｐｄにおいて、第１の面が上であり、第２の投入方向に沿って搬送される。このときの紙幣の状態を「第３の状態」と呼ぶ。第３の状態の紙幣を図１の右上に紙幣ＢＳ３として示す。その後、処理は再び図４のステップＳ２０に戻る。
【００７５】
紙幣処理装置１においては、ステップＳ１００において、原則として１度だけオペレータの手を介して紙幣を回転させる。そして、その際には、回転の方法を画面でオペレータに指示する（図５参照）。このため、被疑券の４種類の識別データを取得する際に、オペレータのミスによって同じ種類の識別データが取得されてしまう可能性が低い。
【００７６】
その後、図４のステップＳ２０において、第１の面について、第２の投入方向に沿って、紙幣の先から後に向かう向きに識別データが取得される（図１の紙幣ＢＳ３参照）。そして、ステップＳ３０、Ｓ４０を経て紙幣が反転され、入出口１２に戻される。この時点では、入出口１２の扉は閉じている。なお、被疑券を再投入した（ステップＳ１１０）後のステップＳ２０の処理を実現するＣＰＵ４の機能部を、第３の識別データ取得部４１ｃとして、図２に示す。
【００７７】
ステップＳ４５では、ステップＳ１１０を経た後、ステップＳ２０で取得された識別データが、ステップＳ１１０を経る前（すなわち、オペレータによって回転される前）にステップＳ２０またはＳ６０で取得された識別データと一致するか否かが判定される。なお、ここでいう「一致する」とは、識別データ間の相違が所定の範囲内にあることをいう。
【００７８】
ステップＳ１１０を経た後、ステップＳ２０で取得された識別データが、ステップＳ１１０を経る前にステップＳ２０およびＳ６０のいずれとも異なる場合には、ステップＳ４５の判定結果はＮｏとなる。その場合には、処理はステップＳ５０に進む。
【００７９】
一方、ステップＳ１１０を経た後、ステップＳ２０で取得された識別データが、ステップＳ１１０を経る前にステップＳ２０またはＳ６０のいずれかと一致する場合には、処理はステップＳ１２０に進む。ステップＳ４５の判定結果がＹｅｓであるということは、ステップＳ１１０において、オペレータが３６０度の整数倍の角度だけ紙幣を回転させて、第１の状態（図１の紙幣ＢＳ１参照）で紙幣を入出口１２に再投入したということである。
【００８０】
図６は、入出口１２内の被疑券を回転させて再投入する作業をオペレータに指示する表示・操作部９の画面を表す図である。ステップＳ１２０では、図６の画面が表示・操作部９に表示される。なお、被疑券を再投入した（ステップＳ１１０）後のステップＳ４５の処理、およびステップＳ１２０の表示を実現するＣＰＵ４の機能部を、第２の指示部４４ｂとして、図２に示す。
【００８１】
また、ステップＳ１２０では、入出口１２の扉が開かれて、オペレータが紙幣を取り出せる状態になる。被疑券を再投入した（ステップＳ１１０）後、ステップＳ１２０で入出口１２の扉を開く機能を実現するＣＰＵ４の機能部を、中途返却部４６として、図２に示す。
【００８２】
図６の画面を見たオペレータは、図４のステップＳ１３０で、入出口１２内の被疑券を取り出して、紙幣の面に垂直な方向を軸として１８０度回転させ、再び入出口１２に投入する。このとき、紙幣は第３の状態となっている（図１の紙幣ＢＳ３参照）。その後、処理は再びステップＳ２０に戻る。
【００８３】
ステップＳ４５の判定結果がＮｏであった場合は、ステップＳ５０で、紙幣は入出口１２から搬出される。このとき、紙幣は、データ読み取り部１１の上流の紙幣搬送路Ｐｄにおいて、第２の面が上であり、第１の投入方向に沿って搬送される。この状態を「第４の状態」と呼ぶ。第４の状態の紙幣を図１の右上に紙幣ＢＳ４として示す。なお、被疑券を再投入した（ステップＳ１１０）後のステップＳ４５，Ｓ５０の処理を実現するＣＰＵ４の機能部を、第２の循環部４２ｂとして、図２に示す。
【００８４】
ステップＳ６０では、データ読み取り部１１が、第２の面について、その紙幣が入出口１２から搬出されたときの方向に沿って、紙幣の先から後に向かう向きに識別データを取得する。なお、被疑券を再投入した（ステップＳ１１０）後のステップＳ６０の処理を実現するＣＰＵ４の機能部を、第４の識別データ取得部４１ｄとして、図２に示す。
【００８５】
その後、ステップＳ７０，Ｓ８０の処理を経て、ステップＳ９０では、被疑紙幣の両面について、被疑紙幣の短辺方向に沿って上から下に向かう向きと、下から上に向かう向きとでそれぞれ走査して取得した合計４個のデータが取得されたか否かが判定される。この時点では、ステップＳ９０の判定結果は、Ｙｅｓとなる。そして、処理はステップＳ１２０に進む。なお、被疑券を再投入した（ステップＳ１１０）後のステップＳ８０の処理を実現するＣＰＵ４の機能部を、第２の返還部４３ｂとして、図２に示す。
【００８６】
図７は、１枚の被疑紙幣の４個の識別データの取得が完了したことを示す画面の表示である。ステップＳ１４０では、図７の画面が表示・操作部９に表示される。ステップＳ１４０の処理を実現するＣＰＵ４の機能部を、報告部４５として、図２に示す。
【００８７】
その後、図４の処理は終了する。なお、オペレータは、入出港１２から被疑紙幣を取り出し、まだ他の被疑紙幣がある場合には、その被疑紙幣について、同様に図４の処理を行う。
【００８８】
なお、ステップＳ１１０において正しく処理が行われず、ステップＳ４５，Ｓ１２０，Ｓ１３０を経た後、次にステップＳ２０の処理が行われる際の紙幣の状態は、ステップＳ１１０において正しく処理が行われた後にステップＳ２０の処理が行われる際の紙幣の状態とは、異なっている。具体的には、ステップＳ１１０において正しく処理が行われた場合のステップＳ２０における紙幣の状態は、第３の状態（図１の紙幣ＢＳ３参照）である。これに対して、ステップＳ１３０の後、ステップＳ２０の処理が行われる際の紙幣の状態は、第２の状態（図１の紙幣ＢＳ２参照）を紙幣の面に垂直な方向を軸として紙幣を１８０度回転させた状態である。紙幣がステップＳ１１０の後に一度、紙幣処理装置１内の紙幣搬送路を通過しているためである。しかし、ステップＳ１３０を経てステップＳ２０に戻った後、ステップＳ２０およびＳ６０の処理が行われることによって、すでに取得された識別データとは異なる２種類の識別データが適切に取得される。
【００８９】
Ｂ．第２実施例：
図８は、この発明の実施形態である紙幣処理装置１ｂの機械的構成を示す断面図である。第２実施例の紙幣処理装置１ｂは、反転機構１７を備えている。紙幣処理装置１ｂの他の点は、紙幣処理装置１と同様である。
【００９０】
図９は、反転機構１７の構造を簡略に示す斜視図である。反転機構１７は、１対のロールに巻き付けられ、それら２本のロールの間で１８０度ねじれている構成の無端ベルトを２組備えている。図９においては、無端ベルト１６５は、２本のロール１６１，１６３に巻き付けられており、無端ベルト１６６は、２本のロール１６２，１６４に巻き付けられている。そして、ロール１６１とロール１６２、ならびにロール１６３とロール１６４は、それぞれ互いに接して無端ベルト１６５および無端ベルト１６６を挟むように配されている。その結果、無端ベルト１６５，１６６は、輪の外側の面で互いに接する。
【００９１】
このような構成の反転機構１７においては、ロール１６１とロール１６２の間に供給された紙幣ＢＳ５は、無端ベルト１６５と無端ベルト１６６の間に挟まれた状態で１８０度反転され、ロール１６１とロール１６２の間から排出される。このとき、紙幣ＢＳ５は、紙幣の搬送方向Ａｔを軸に１８０度回転させる。すなわち、紙幣の短辺方向に平行な方向Ａｔを軸に１８０度回転される。反転後の紙幣の状態を、紙幣ＢＳ６として図９の右側に示す。
【００９２】
２実施例の紙幣処理装置１ｂにおいては、入出口１２に投入された紙幣が、データ読み取り部１１、フラッパ１５ｅ，１５ｃ，１５ａを経て入出口１２を経ずに再びデータ読み取り部１１に搬送されたときには、最初にデータ読み取り部１１を通過したときに上であった面とは逆の面が上になっている。
【００９３】
図１０は、第２実施例において、被疑券の識別データを収集する際の手順を示すフローチャートである。図１０の処理は、ステップＳ４０，Ｓ５０の処理（入出口１２への返却）を行わない。そして、ステップＳ６０の前に、ステップＳ５５で、一時保留部１３から入出口１２を経ずにデータ読み取り部１１に紙幣を搬送する処理を行う。また、ステップＳ１２０の前に、ステップＳ１１５で、一時保留部１３から入出口１２に紙幣を搬送する処理を行う。図１０の処理の他の点は、図４の処理と同じである。
【００９４】
このような構成としても、被疑券の４種類の識別データを取得する際にオペレータのミスによって同じ種類の識別データが取得されてしまう可能性を低くすることができる。
【００９５】
Ｃ．第３実施例：
第３実施例の紙幣処理装置１ｃは、入出口１２の下部に、紙幣を紙幣の紙面に垂直な方向を軸として１８０度回転させることができる回転テーブル１９を備える。紙幣処理装置１ｂの他の点は、紙幣処理装置１と同様である。
【００９６】
図１１は、回転テーブル１９を示す斜視図である。回転テーブル１９は、紙幣の紙面に垂直な方向Ａｘ３を軸として紙幣を１８０度回転させることができる。このような構成を備える紙幣処理装置１ｃにおいて被疑券の４種類の識別データを取得する際には、図４のステップＳ１００およびＳ１１０に代えて、回転テーブル１９で紙幣を１８０度回転させる処理を行う。他の処理は、図４のフローチャートと同様である。
【００９７】
そのような態様とすれば、オペレータの手を経ることなく、被疑券の４種類の識別データを取得することができる。よって、オペレータのミスによって同じ種類の識別データが取得されてしまう可能性をなくすことができる。
【００９８】
Ｄ．変形例：
なお、この発明は上記の実施例や実施形態に限られるものではなく、その要旨を逸脱しない範囲において種々の態様において実施することが可能であり、例えば次のような変形も可能である。
【００９９】
Ｄ１．変形例１：
上記実施例の紙幣処理装置には、紙幣の投入を受ける入金口と、紙幣を排出する出金口とを兼ねる構成として、入出口１２が設けられていた。しかし、紙幣処理装置において、入金口と出金口は、それぞれ独立に設けることもできる。
【０１００】
Ｄ２．変形例２：
紙幣から取得される識別データは、可視光の反射によって得られる画像データ、赤外線や紫外線の反射によって得られる画像データ、磁気データ、形状のデータなど、様々なデータを含むことができる。すなわち、「識別データ」は、紙幣から取得することができ、その紙幣が真券であるか否かの判断に使用することができるデータとすることができる。
【０１０１】
Ｄ３．変形例３：
上記実施例では、紙幣の真偽および紙幣の種類は、データ読み取り部１１が取得した識別データに基づいてＣＰＵ４が判断していた。しかし、紙幣の真偽および紙幣の種類の判断は、データ読み取り部１１が行い、ＣＰＵ４はその結果のデータを受け取る態様とすることもできる。すなわち、紙幣処理装置に設けられたいずれかのＣＰＵ、制御回路等が紙幣の真偽および紙幣の種類を判断することができる。
【０１０２】
Ｄ４．変形例４：
上記実施例においては、オペレータに作業を指示する出力部は、顧客が取引の際に使用するものと同じタッチパネル９であった。しかし、出力部は、他の構成とすることもできる。すなわち、出力部は、入力手段を備えないディスプレイとすることができる。また、顧客が取引の際に使用するタッチパネルとは別に設けることもできる。さらに、出力部は、作業を指示する所定の表示のそばに設けられたランプとすることもでき、音声を出力できるアンプおよびスピーカとすることもできる。そして、出力部は、外部の装置に信号を送信して、外部の装置に映像や音声で指示を行わせる態様とすることもできる。すなわち、出力部は、オペレータに次に行うべき作業の内容を直接または間接に伝えることができる手段とすることができる。
【０１０３】
Ｄ５．変形例５：
上記実施例では説明を省略したが、図４の任意のステップの間において、紙詰まりや紙幣処理装置の機構の異常が生じたか否かのチェックを行い、それらの異常が生じていた場合には、表示・操作部９にその旨の表示を行って処理を終了する態様とすることができる。
【０１０４】
また、ステップＳ２０、Ｓ６０の後に、紙幣が搬送方向に対して傾いていたり、紙幣の端が折れていたりする場合に生じる、識別データの読み取り異常が生じたか否かのチェックを行う態様とすることもできる。そして、それらの異常が生じていた場合には、表示・操作部９にその旨の表示を行って処理を終了する態様とすることができる。
【０１０５】
Ｄ６．変形例６：
上記実施例では、ユーザが入金した紙幣がすべて一時保留部１３、第１の偽造紙幣収納部１０、第２の偽造紙幣収納部１４、または入出口１２へ送られると、次に、一時保留部１３内の真券が、種類に応じて循環紙幣カートリッジ２２ａ〜２２ｄに送られる。しかし、その前に、ユーザに、紙幣の向きを変え、または紙幣の向きをそろえて入出口１２に投入する指示を出し、入出口１２から１枚づつ紙幣を搬出して、紙幣の真偽および種類の判定を行って、一時保留部１３、第１の偽造紙幣収納部１０、第２の偽造紙幣収納部１４、または入出口１２へ搬送する処理を、１回以上行う態様とすることもできる。
【０１０６】
Ｄ７．変形例７：
第１実施例の紙幣処理装置１においては、第１の紙幣搬送路Ｐｂ１が紙幣を１８０度回転させる。また、第２実施例の紙幣処理装置１ｂは、紙幣を回転させるための手段として反転機構１７を備える。そして、第３実施例の紙幣処理装置１ｃは、紙幣を回転させるための手段として反転機構１７を備える。しかし、紙幣処理装置は、紙幣を回転させることができる他の１以上の回転手段を備える態様とすることができる。
【０１０７】
ただし、紙幣処理装置は、第１の方向を軸に紙幣を回転させることができる第１の回転手段と、第１の方向に垂直な第２の方向を軸に紙幣を回転させることができる第２の回転手段と、を備えることが好ましい。そして、第１と第２の方向に垂直な第３の方向を軸に紙幣を回転させることができる第３の回転手段は備えないことが好ましい。互いに垂直な３方向を軸に紙幣を回転させることができる３種類の回転手段を備えると、装置が大きくなるためである。また、互いに垂直な２方向を軸に紙幣を回転させることができる２種類の回転手段を使用して、それら２方向に垂直な第３の方向を軸に紙幣を回転させたのと同様の操作を行うことができるためである。
【０１０８】
なお、紙幣処理装置は、紙幣の長辺および短辺にそれぞれ平行な方向を軸に紙幣を回転できる２種類の回転手段を備えることが好ましい。そして、紙幣の面に垂直な方向を軸に紙幣を回転できる回転手段は備えないことが好ましい。紙幣の面に垂直な方向を軸に紙幣を回転できる回転手段の構成は紙幣の長辺および短辺にそれぞれ平行な方向を軸に紙幣を回転できる回転手段に比べて大きくなる傾向があるからである。よって、第１実施例のように、紙幣の長辺または短辺に平行な方向を軸に紙幣を回転できる回転手段を備え、紙幣の面に垂直な方向を軸に紙幣を回転させる操作をオペレータに指示する態様とすることで、４種類の識別データを小さな紙幣処理装置で取得することができる。
【０１０９】
Ｄ８．変形例８：
上記実施例では、紙幣は、紙幣識別部の作成する識別データに基づいて、４種類の分類されていた。しかし、紙幣は、３種類以下や５種類以上の他の数の種類に分類されることもできる。すなわち、紙幣は、紙幣処理装置において、真券と、偽券の疑いのある種類と、を含む複数種類に分類されることができる。
【０１１０】
Ｄ９．変形例９：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。また、位置の構成で実現していた機能を複数の構成で分担して実現することもできる。例えば、ＣＰＵ４（図２）の機能の一部を、第１の紙幣センサ７、第２の紙幣センサ８、表示・操作部９、データ読み取り部１１、モータ１６、や循環紙幣カートリッジ２２に設けられた制御回路やＣＰＵが行う態様と得ることもできる。
【０１１１】
各種の機能を実現するコンピュータプログラムは、フロッピディスクやＣＤ−ＲＯＭ等の、コンピュータ読み取り可能な記録媒体に記録された形態で提供される。コンピュータは、その記録媒体からコンピュータプログラムを読み取って内部記憶装置または外部記憶装置に転送する。あるいは、通信経路を介してプログラム供給装置からコンピュータにコンピュータプログラムを供給するようにしてもよい。コンピュータプログラムの機能を実現する時には、内部記憶装置に格納されたコンピュータプログラムがコンピュータのマイクロプロセッサによって実行される。また、記録媒体に記録されたコンピュータプログラムをコンピュータが直接実行するようにしてもよい。
【０１１２】
この明細書において、コンピュータとは、ハードウェア装置とオペレーションシステムとを含む概念であり、オペレーションシステムの制御の下で動作するハードウェア装置を意味している。コンピュータプログラムは、このようなコンピュータに、上述の各部の機能を実現させる。なお、上述の機能の一部は、アプリケーションプログラムでなく、オペレーションシステムによって実現されていても良い。
【０１１３】
なお、この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【図面の簡単な説明】
【０１１４】
【図１】この発明の実施形態である紙幣処理装置１の機械的構成を示す断面図。
【図２】紙幣処理装置１の電気的構成を示したブロック図。
【図３】第１の偽造紙幣収納部１０内に被疑券を入出口１２に投入する作業をオペレータに指示する表示・操作部９の画面を表す図。
【図４】被疑券の識別データを収集する際の手順を示すフローチャート。
【図５】入出口１２内の被疑券を回転させて再投入する作業をオペレータに指示する表示・操作部９の画面を表す図。
【図６】入出口１２内の被疑券を回転させて再投入する作業をオペレータに指示する表示・操作部９の画面を表す図。
【図７】１枚の被疑紙幣の４個の識別データの取得が完了したことを示す画面を表す図。
【図８】この発明の実施形態である紙幣処理装置１ｂの機械的構成を示す断面図。
【図９】反転機構１７の構造を簡略に示す斜視図。
【図１０】第２実施例において、被疑券の識別データを収集する際の手順を示すフローチャート。
【図１１】紙幣を紙幣の紙面に垂直な方向Ａｘ３を軸として１８０度回転させることができる回転テーブル１９を示す斜視図。
【符号の説明】
【０１１５】
１，１ｂ，１ｃ…紙幣処理装置
２…上部ユニット
３…下部ユニット
４…ＣＰＵ
５…ＲＯＭ
６…ＲＡＭ
７…第１の紙幣センサ
８…第２の紙幣センサ
９…表示・操作部
１０…第１の偽造紙幣収納部
１１…紙幣識別部
１２…入出口
１３…一時保留部
１４…第２の偽造紙幣収納部
１５ａ〜１５ｄ…フラッパ
１６…モータ
１７…反転機構
１９…回転テーブル
２１…回収カートリッジ
２２，２２ａ〜２２ｄ…循環紙幣カートリッジ
２３ａ〜２３ｅ…フラッパ
４０…制御回路
４１ａ…第１の識別データ取得部
４１ｂ…第２のデータ取得部
４１ｃ…第３の識別データ取得部
４１ｄ…第４の識別データ取得部
４２ａ…第１の循環部
４２ｂ…第２の循環部
４３ａ…第１の返還部
４３ｂ…第２の返還部
４４ａ…第１の指示部
４４ｂ…第２の指示部
４４ｃ…第３の指示部
４５…報告部
４６…中途返却部
４７…分別部
１６１，１６３…ロール
１６２，１６４…ロール
１６５，１６６…無端ベルト
Ａｔ…紙幣の搬送方向を表す矢印
Ａｘ３…紙幣の回転の軸方向
ＢＳ１，ＢＳ１ｒ…第１の状態の紙幣
ＢＳ２…第２の状態の紙幣
ＢＳ３…第３の状態の紙幣
ＢＳ４…第４の状態の紙幣
ＢＳ５〜７…紙幣
Ｐｂ１…第１の紙幣搬送路
Ｐｂ２…第２の紙幣搬送路
Ｐｄ…データ読み取り部１１の上流の紙幣搬送路
【図１】
2008033382.tif 000003
【図２】
2008033382.tif 000004
【図３】
2008033382.tif 000005
【図４】
2008033382.tif 000006
【図５】
2008033382.tif 000007
【図６】
2008033382.tif 000008
【図７】
2008033382.tif 000009
【図８】
2008033382.tif 000010
【図９】
2008033382.tif 000011
【図１０】
2008033382.tif 000012
【図１１】
2008033382.tif 000013